(57)【特許請求の範囲】
【請求項１】
略直交する２軸方向へ回動自在な操作レバーと、その先端部が連結されたスイッチ操作部と、このスイッチ操作部に設けられた可動接点と、この可動接点が接離する固定接点とを備え、操作レバーは前記２軸方向のうちの一方へ回動するとスイッチ操作部と一体に回動してワイパースイッチを開閉し、他の軸方向へはスイッチ操作部と独立して回動することによりウォッシャスイッチを開閉するように構成したワイパースイッチユニットにおいて、前記ウォッシャスイッチを構成する可動接点は一端を自由端とし、他端を固定端とする板バネ状をなし、この固定端はスイッチ操作部に設けられた接点固定部へ係合による３点支持構造で取付けられ、かつこの接点固定部に形成された傾斜面により、可動接点が所定の傾斜角度で取付けられるとともに、
ウォッシャスイッチ用可動接点は平面視で略Ｖ字状をなす一対の腕部を備え、各腕部の自由端を接点部とし、固定端で各腕部が連続し、この固定端のうち両側の腕部で挟まれた部分は係合部をなし、その反対部分が先端側をなし、
接点固定部は、一対の腕部間に位置して前記固定端の係合部を支持する係止部と、この係止部と間隔をもって設けられ前記固定端の先端側を支持するクロス部と、これら係止部とクロス部との中間に位置して前記固定端の前記係合部と先端側の間を支持する中間支持部を備え、
前記係止部とクロス部はそれぞれ庇状に張り出す部分の下面にて前記固定端を係止し、前記中間支持部は上端面にて前記固定端を支持し、
前記係止部とクロス部の各庇状に張り出す部分の下面と前記中間支持部の上端面は前記接点固定部に形成された傾斜面をなしていることを特徴とするウォッシャスイッチの可動接点取付構造。
【請求項２】
前記係止部と中間支持部にそれぞれ前記傾斜面より急傾斜のガイド面を形成したことを特徴とする請求項１に形成したウォッシャスイッチの可動接点取付構造。
【発明の詳細な説明】
【０００１】
【発明の属する技術分野】
この発明は自動車のハンドル近傍に設けられるウォッシャスイッチの可動接点取付構造に関する。
【０００２】
【従来の技術】
自動車のステアリングシャフトの周囲にライテイングスイッチユニットとワイパースイッチユニットからなるコンビネーションスイッチを設けたものは公知であり、ワイパースイッチユニットは、略直交する２軸方向、例えばステアリングシャフトの略軸平行方向（以下、側面視上下方向という）とステアリングシャフトの略軸直交方向（以下、平面視左右方向という）へ回動自在な操作レバーと、その先端部が連結されたレバーホルダと、このレバーホルダに設けられた可動接点と、この可動接点が接離する固定接点とを備え、操作レバーをレバーホルダに対して側面視上下方向へ回動するとウォッシャスイッチを閉じてウオッシャポンプを作動させ、平面視左右方向へレバーホルダと一体に回動することによりワイパースイッチを切り換えるように構成されている。また、ウォッシャスイッチ用の可動接点は、一端を自由端とし、他端を固定端とする板バネ状をなし、この固定端側はネジ止め等の適宜手段でレバーホルダへ固定されている。
【０００３】
【発明が解決しようとする課題】
ところで、ウォッシャスイッチ用可動接点の取付構造においては、自由端側と固定接点との間隔、すなわち接点ストロークを一定にすることが重要であるところ、前記ネジ止め等にる固定手段では接点ストロークを一定にすることが難しく、そのため取付精度をより一層向上させることが望まれている。そのうえ、取付作業もさらに容易かつ迅速であることが望まれる。本願発明は係る要請を満足するものである。
【０００４】
【課題を解決するための手段】
上記課題を解決するため本願発明に係るウォッシャスイッチの可動接点取付構造は、略直交する２軸方向へ回動自在な操作レバーと、その先端部が連結されたスイッチ操作部と、このスイッチ操作部に設けられた可動接点と、この可動接点が接離する固定接点とを備え、操作レバーは前記２軸方向のうちの一方へ回動するとスイッチ操作部と一体に回動してワイパースイッチを開閉し、他の軸方向へはスイッチ操作部と独立して回動することによりウォッシャスイッチを開閉するように構成したワイパースイッチユニットにおいて、前記ウォッシャスイッチを構成する可動接点は一端を自由端とし、他端を固定端とする板バネ状をなし、この固定端はスイッチ操作部に設けられた接点固定部へ係合による３点支持構造で取付けられ、かつこの接点固定部に形成された傾斜面により可動接点の所定の傾斜角度で取付けられるとともに、
ウォッシャスイッチ用可動接点は平面視で略Ｖ字状をなす一対の腕部を備え、各腕部の自由端を接点部とし、固定端で各腕部が連続し、この固定端のうち両側の腕部で挟まれた部分は係合部をなし、その反対部分が先端側をなし、
接点固定部は、一対の腕部間に位置して前記固定端の係合部を支持する係止部と、この係止部と間隔をもって設けられ前記固定端の先端側を支持するクロス部と、これら係止部とクロス部との中間に位置して前記固定端の前記係合部と先端側の間を支持する中間支持部を備え、
前記係止部とクロス部はそれぞれ庇状に張り出す部分の下面にて前記固定端を係止し、前記中間支持部は上端面にて前記固定端を支持し、
前記係止部とクロス部の各庇状に張り出す部分の下面と前記中間支持部の上端面は前記接点固定部に形成された傾斜面をなしていることを特徴とする。
【０００５】
【発明の効果】
ウォッシャスイッチを構成する可動接点の固定端は、レバーホルダの固定部へ係合により３点支持構造で固定される。このとき、レバーホルダの固定部に予め傾斜面を設けてあるので、ウォッシャスイッチにおける可動接点は傾斜面と略同程度の傾斜角度で取付けられ、かつその傾斜は傾斜面によって一定となる。
【０００６】
したがって、ウォッシャスイッチの可動接点は、その取付時における接点ストロークが安定するため、取付精度を大きく向上させることができる。しかも係合による３点支持構造で固定できるので、取付がより確実になり、しかも取付作業が容易かつ迅速になる。
【０００７】
【発明の実施の形態】
以下、図面に基づいて一実施例を説明する。図２は自動車のハンドル近傍に設けられたコンビネーションスイッチの平面図、図３はその側面図、図４は図２の４−４線に沿うセンタープレートの断面図である。
【０００８】
このコンビネーションスイッチは、中央を貫通するステアリングシャフト１を中心にして左右対称に形成されたセンタープレート２と、その左右に取付けられたライティングスイッチユニット３及びワイパースイッチユニット４を備える。ライティングスイッチユニット３は、側方へ突出する操作レバー５によって操作され、平面視（図２）で操作レバー５を左右へ回動させることにより、内蔵されているウインカスイッチを左折又は右折表示に切り換える。
【０００９】
さらに、側面視（図３）で操作レバー５を上下方向へ回動させると、内蔵されているデイマースイッチを操作してヘッドライトの光軸をハイ・ロー切り換えしたり、パッシング操作ができ、また、操作レバー５の先端へ回動自在に取付けられているノブ６を回動させると、ヘッドライトの点滅切り換え等の操作ができるようになっている。
【００１０】
ワイパースイッチユニット４も側方へ突出する操作レバー７によってスイッチを操作でき、平面視で操作レバー７を左右へ回動させることによりワイパを短時間作動させることができ、側面視で操作レバー７を上方へ回動させると、ウオッシャ液の吐出と所定回数のワイパー動作を行い、さらに操作レバー７の先端へ回動自在に取付けられているノブ８を回動させると、ウォッシャスイッチのＯＮ・ＯＦＦ並びに間欠動作を含むワイパ速度の切り換えができるようになっている。
【００１１】
センタープレート２は樹脂製であって、中央の円形凹部１０を挟んで左右に腕部１１、１２が設けられ、それぞれの下方はスイッチユニットの取付空間１１ａ、１２ａをなし、これら各取付空間１１ａ、１２ａ内にライティングスイッチユニット３及びワイパースイッチユニット４が、それぞれ腕部１１、１２の延出方向よりガイド溝１３、１４に案内されて取付けられ、ネジ１５、１６で固定される。
【００１２】
図中の符号１７は円形凹部１０の中央部に設けられているボス、１８はボス１７を貫通しているステアリングシャフト１の周囲へ一体回転するように設けられた略リング状のキャンセルカム、１９はキャンセルカム１８の外周部に形成された半径方向外方へ突出するキャンセル突部であり、ウインカキャンセル機構を構成する公知のものである。
【００１３】
次に、ワイパースイッチユニット４の構造を説明する。図１は断面図、図５はレバーホルダの平面図、図６はレバーホルダの側面図、図７は図６の７−７線断面図、図８は図５の８−８線断面図、図９は図８のＡ部拡大図、図１０は可動接点板の平面図、図１１は可動接点板の側面図、図１２は図１１の１２−１２線断面図である。
【００１４】
まず、図１において明らかなように、ワイパースイッチユニット４は、上カバー２０、レバーホルダ２１、その一部をなす可動接点ホルダ部２２及び固定接点ホルダ２３をこの順に上下方向へ重ねて組立てたものである。
【００１５】
可動接点ホルダ部２２と固定接点ホルダ２３との間には、ワイパースイッチ２４及びウォッシャスイッチ２５が設けられている。
【００１６】
上カバー２０は固定接点ホルダ２３と上下方向で組合されて中間部にレバーホルダ２１の収容空間を形成する部材であり、その頂面３０の裏側中央部に軸受け凹部３４が形成されている。
【００１７】
この軸受け凹部３４が設けられている部分はレバーホルダ２１を回動自在に支持する軸受け部３５をなし、図では明らかでないが頂面３０の内面が凹曲面に形成されている。なお、図中で明らかではないが、外側面には前記ガイド溝１４へ嵌合するガイドレールが形成されている。
【００１８】
レバーホルダ２１の内側（ステアリングシャフト１に近い側をいうものとする、以下同）先端部を覆うように下方へ延びる立て壁部３７の下部には、上下方向のガイド斜面３８が形成されている。このガイド斜面３８の下部はさらに外側へ突出する段差部３９をなしている。また、図から明らかでないが、ガイド斜面３８の平面視形状は略Ｖ字状のクリック溝をなしている。
【００１９】
レバーホルダ２１は本願発明のスイッチ操作部であり、操作レバー７の一端部が連結し、平面視で操作レバー７と一体に左右方向へ回動してワイパモータを操作し、かつ側面視で操作レバー７のみを上下方向へ回動させてウオッシャポンプの操作を行うようにした部材である。
【００２０】
図５に明らかなように、平面視で長さ方向一端側が略切欠き円状の頂部をなすレバー連結部４０をなし、この頂部の内側部分である円弧状庇部４１より他端側が上方へ開放された可動接点ホルダ部２２をなしている。
【００２１】
レバー連結部４０はレバー挿入口４３（図７）を枠状に囲む部分であり、頂部４４と側面４５、４５を備え、頂部４４にはレバーホルダ回動軸４６が上方へ一体に突出形成され、また、レバー連結部４０の下部にも略半円弧状をなす下側突部４２が下方へ一体に突出形成されている。
【００２２】
頂部４４のレバーホルダ回動軸４６を囲む左右両側に平面視円弧状段部４４ａが設けられ、上カバー２０の軸受け部３５内面に形成された前記凹曲面部へ嵌合支持されることにより、上記レバーホルダ２０の回動を円滑にしている。
【００２３】
レバーホルダ回動軸４６を上カバー２０の軸受け凹部３４へ嵌合するとともに、下側突部４２を固定接点ホルダ２３の円弧状溝２６（図１）へ嵌合することにより、レバーホルダ２１がレバーホルダ回動軸４６及び下側突部４２を中心にして平面視左右方向へ回動自在になっている。
【００２４】
左右両側面４５の内面に軸受け凹部４７が形成され、ここに操作レバー７の左右に突出形成されているレバー回動軸４８が嵌合して回動自在に支持される。
【００２５】
なお、レバーホルダ回動軸４６とレバー回動軸４８は本願発明における略直交する２軸であり、レバーホルダ回動軸４６はステアリングシャフト１の軸方向と略平行であり、操作レバー７はこのレバーホルダ回動軸４６を中心に側面視上下方向へ回動自在となる。また、レバー回動軸４８はステアリングシャフト１の軸に対して略直交方向となり、レバーホルダ２１と一緒に平面視左右方向へ回動自在になる。
【００２６】
図１に明らかなように、操作レバー７の先端にはクリックホルダ４９が形成され、ここにボール５０がスプリング５１により突出方向へ付勢されて保持され、操作レバー７を側面視上方へ回動すると、段部３９へボール５０が乗り上げ、後述するようにウォッシャスイッチ２５を閉じる。
【００２７】
操作レバー７から手を放すと段差部３９からガイド斜面３８へ戻り、操作レバー７を初期位置（操作レバー７を上下又は左右のいずれにも回動せず、ワイパースイッチ２４及びウォッシャスイッチ２５がそれぞれ開いている状態となる位置）へ戻り、かつウォッシャスイッチ２５が開くようになっている。
【００２８】
また、操作レバー７を平面視で左右方向へ回動させると、クリックホルダ４９に保持されているボール５０がガイド斜面３８のうち中央部から離れた連結部４０方向へより張り出している斜面上へ乗り上げると同時にレバーホルダ２１を左右方向へ回動させてワイパースイッチ２４を開閉等操作するようになっており、操作レバー７から手を放すとボール５０がガイド斜面３８に案内されて中央部へ戻り、操作レバー７を初期位置に戻し、かつワイパースイッチ２４を開くようになっている。
【００２９】
図１に示すように、可動接点ホルダ部２２と固定接点ホルダ２３との間には、ワイパースイッチ２４が設けられ、このスイッチを構成するウォッシャスイッチ用可動接点５３は、レバーホルダ２２の底面側に下方へ突出して保持され、固定接点ホルダ２３の上面に露出するウォッシャスイッチ用固定接点５４と接離可能になっている。
【００３０】
このウォッシャスイッチ用固定接点５４は固定接点ホルダ２３上に設けられている回路基板（図示省略）に接続されており、閉じられている間だけワイパモータ（図示省略）を作動させるようになっている。さらにこの回路基板にはノブスイッチのリード線端部（図示省略）が接続され、ノブスイッチによる操作でワイパモータを作動制御するようになている。
【００３１】
さらに可動接点ホルダ部２２の内方端部側上部にはウォッシャスイッチ２５の可動接点固定部５５が設けられ、ここに板バネ状をなすウォッシャスイッチ用可動接点５６が片持支持される。
【００３２】
ウォッシャスイッチ用可動接点５６は、その自由端側が可動接点ホルダ部２２の上方を円弧状庇部４１の下方まで延びて下方へ屈曲する接点部５７をなし、ウォッシャスイッチ用固定接点５８の上方に位置している。
【００３３】
ウォッシャスイッチ用可動接点５６の長さ方向中間部には操作レバー７のレバー回動軸４８より先端側部分から下方へ突出する操作子５９が当接し、操作レバー７を上方へ回動させるとウォッシャスイッチ用可動接点５６の接点部５７を押し下げてウォッシャスイッチ用固定接点５８へ接触させるようになっている。これらの各部でウォッシャスイッチ２５が構成されている。
【００３４】
ウォッシャスイッチ用固定接点５８はウォッシャスイッチ用固定接点５４の接続する回路基板と接続しており、ウォッシャスイッチ２５が閉じられると、ウオッシャポンプを作動させてウオッシャ液を吐出させると同時にワイパモータも駆動するようになっている。
【００３５】
ウォッシャスイッチ用可動接点５６は、図１０〜１２に示すように、平面視（図１０）で略Ｖ字状をなすバネ性のある金属導体板であり、一対の腕部６０は固定端６１で連続し、その左右は下方へ折り曲げられたガイド面６２になっている。また、固定端６１のうち左右の腕部６０で挟まれた部分は係合部６３をなし、その反対側は先端側６４になっている。
【００３６】
図９に明らかなように、可動接点固定部５５は、可動接点ホルダ部２２と一体に形成され、かつ中心線Ｃ上に間隔を持って配置されたクロス部７０、中間支持部７１及び係止部７２を備え、クロス部７０は固定端６１のうち先端部６４側上方を覆うように係止部７２側へ庇状に張り出し、その下面７３は傾斜面になっている。
【００３７】
係止部７２は頭部が断面略矢形をなしてクロス部７０側へ張り出し、この部分が左右の腕部６０の間に入って係合部６３を上から係止する部分であり、その下面７５も傾斜面をなし、かつ上面側にはクロス部７０側向かって下方傾斜する傾斜面のガイド面７６をなしている。
【００３８】
中間支持部７１はクロス部７０と係止部７１の中間に位置し、これらよりもウォッシャスイッチ用可動接点５６の略板厚分だけ低くなっており、上端面７７も傾斜面上に形成され、かつクロス部７０側に傾斜面をなすガイド面７８が形成されている。
【００３９】
下面７３及び７５はレバー連結部４０側へ向かって上り傾斜の直線である取付方向線Ｌと平行であり、この取付方向線Ｌはウォッシャスイッチ用可動接点５６の固定端６１を可動接点固定部５５へ片持支持した直後の傾きと一致し、中間支持部７１における上端面７７の傾きもこの直線と平行である。
【００４０】
取付方向線Ｌの傾斜角度は、自由端側が固定接点からより大きく離れて拡開し、初期位置における操作子５９と交差するように設定され、操作レバー７をレバーホルダ２１と連結して初期位置にしたとき操作子５９の下端部位置が取付方向線Ｌよりも若干下方へ突出するように設定される。
【００４１】
したがって、操作レバー７をレバーホルダ２１へ連結したとき、操作子５９がウォッシャスイッチ用可動接点５６を下方へ弾性変形させて曲げるが、このときの接点部５７と固定接点５８との間は一定の接点ストロークとなるように設定されている。なお、各ガイド面７６及びガイド面７８も取付方向線Ｌより急傾斜の直線である取付ガイド線Ｇ上に位置している。
【００４２】
さらに図５に示すように、固定端６１の左右両側には一対の固定端側ガイド壁８０が一体に立設され、かつ左右の腕部６０の中間部を挟むように中間ガイド壁８１が向かい合って一体に立設され、腕部６０に面する端面８２は平行になるように傾斜面をなし、かつその側面視における高さは取付方向線Ｌと重なる程度もしくはこれよりも若干高くなるようになっている（図８）。
【００４３】
次に、本実施例の作用を説明する。レバーホルダ２１の可動接点ホルダ部２２へウォッシャスイッチ用可動接点５６を取り付けるには、まず可動接点ホルダ部２２の上方空間内へウォッシャスイッチ用可動接点５６を入れ、その接点部５７側が円弧状庇部４１の下側になるようにする。
【００４４】
さらに固定端６１左右のガイド面６２を左右の固定端側ガイド壁８０の間へ入れてガイド面７６及び７８の上に乗せる。この状態ではウォッシャスイッチ用可動接点５６の固定端６１がまだ固定されず、ウォッシャスイッチ用可動接点５６全体はガイド線Ｇ上に重なる急傾斜状態になっている。
【００４５】
そこで、固定端６１をその先端部６４がクロス部７０の下方へ入るように斜め下方へ押し込むと、係合部６３が係止部７２を弾性変形させながら下面７５の下へ入り込んだとき、固定端６１は前後方向をクロス部７０及び係止部７２の各下面７３及び７５で上方から支持され、かつ中間部を中間支持部７１の上端面７７で下方から支持されることにより３点支持で固定される。
【００４６】
このとき、下面７３及び７５並びに上端面７７の各傾斜が一致しているので、ウォッシャスイッチ用可動接点５６の傾斜角度は取付方向線Ｌと平行になり、自由端側の接点部５７がウォッシャスイッチ用固定接点５８から上方へ大きく離れるように拡開して取付けられる。
【００４７】
この状態が図８の状態であり、このレバーホルダ２１にレバー挿入口４３側から操作レバー７を挿入し、軸受け凹部４７においてレバー回動軸４８で連結すると、操作レバー７とレバーホルダ２１を一体化できる。
【００４８】
このとき、操作レバー７を初期位置にすると、先端に設けられたボール５０はガイド傾斜面３８の中央部にあり、操作子５９は腕部６０の中間部に当接してこれを若干押し下げるので、ウォッシャスイッチ用可動接点５６は、固定端６１と中間支持部７１の上端面７７との接触部を支点として接点部５７側が下方へ弾性変形する。
【００４９】
この状態の接点部５７はウォッシャスイッチ用固定接点５８と非接触であり、かつ予め取付方向線Ｌに沿う傾斜角度で取付けられているため、操作子５９により所定の接点ストローク位置まで確実に押し下げられる。
【００５０】
その後、上カバー２０及び固定接点ホルダ２３を取付けると、図１に示すワイパースイッチユニット４が完成するので、このワイパースイッチユニット４をセンタープレート２の腕部１２の下方空間１２ａ内へ取り付けることができる。
【００５１】
このように、接点部５７側を下方へ回し込むことによりウォッシャスイッチ用可動接点５６を可動接点ホルダ部２２の可動接点固定部５５へ容易かつ迅速に取り付けることができる。そのうえ、可動接点固定部５５をクロス部７０、中間支持部７１及び係止部７２からなる３点支持構造としたので、ウォッシャスイッチ用可動接点５６が確実に支持される。
【００５２】
しかも、クロス部７０、中間支持部７１及び係止部７２のそれぞれに設けた下面７３及び７５並びに上端面７７を取付方向線Ｌと略一致する傾斜面に形成したので、ウォッシャスイッチ用可動接点５６を取り付けた直後の状態では、ウォッシャスイッチ用可動接点５６を取付方向線Ｌに合わせて所定の傾斜角度で取り付けることができる。
【００５３】
この、取付方向線Ｌは操作レバー７が初期位置にあるときの操作子５９と側面視で交差するように設定されているため、操作レバー７とレバーホルダ２１の連結により、ウォッシャスイッチ用可動接点５６を弾性変形させて接点部５７を所定の接点ストロークにするので、スイッチの開閉を正確にできるようになるとともに、より品質の安定を図ることができる。
【００５４】
したがって、ウォッシャスイッチ用の可動接点の取付精度を大きく向上させることができ、しかも係合による３点支持構造で固定できるので、取付がより確実になりかつ作業が容易迅速になる。また、可動接点固定部５５の構造も比較的簡単に形成できる。
【００５５】
そのうえ、中間支持部７１及び係止部７２のそれぞれにガイド面７６とガイド面７８を形成したのでウォッシャスイッチ用可動接点５６を取り付けるとき取付ガイド線Ｇと平行にさせることができ、この点でもウォッシャスイッチ用可動接点５６の取付作業を容易にできる。また、固定端側ガイド壁８０及び中間部ガイド壁８１の存在も取付作業の容易化に貢献する。
【００５６】
そのうえさらに、ウォッシャスイッチ用可動接点５６は弾性変形を受けるため、その復元弾性により操作子５９へ常時押しつけられ、振動が加わってもウォッシャスイッチ用可動接点５６のガタつき及びガタつきによる異音の発生が防止される。
【００５７】
なお、本願発明は上記実施例に限定されず種々応用可能であり、例えば、ワイパースイッチユニット４を構成する本願発明のウォッシャスイッチは、ワイパースイッチ２４でもよい。また、回路構成等は公知の種々構造が可能である。
【図面の簡単な説明】
【図１】  実施例に係るワイパースイッチユニットの断面図
【図２】  コンビネーションスイッチ全体の平面図
【図３】  同上側面図
【図４】  図２の４−４線に沿うセンターベースの断面図
【図５】  レバーホルダの平面図
【図６】  レバーホルダの側面図
【図７】  図６の７−７線断面図
【図８】  図５の８−８線断面図
【図９】  図８のＡ部拡大図
【図１０】可動接点板の平面図
【図１１】可動接点板の側面図
【図１２】図１１の１２−１２線断面図
【符号の説明】
１：ステアリングシャフト、２：センタープレート、３：ライティングスイッチユニット、４：ワイパースイッチユニット、５：操作レバー、７：操作レバー、８：ノブ、２０：上カバー、２１：レバーホルダ、２２：可動接点ホルダ部、２３：固定接点ホルダ、４１：円弧状庇部、４６：レバーホルダ回動軸、４７：軸受け凹部、４８：レバー回動軸、５４：ウォッシャスイッチ用固定接点、５５：可動接点固定部、５６：ウォッシャスイッチ用可動接点、５７：接点部、５８：ウォッシャスイッチ用固定接点、５９：操作子、６０：腕部、６１：固定端、６３：係合部、６４：先端部、７０：クロス部、７１：中間支持部、７２：係止部、７３：下面、７５：下面、７６：ガイド面、７７：上端面、７８：ガイド面
【図１】
0004137230.tif 000002
【図２】
0004137230.tif 000003
【図３】
0004137230.tif 000004
【図４】
0004137230.tif 000005
【図５】
0004137230.tif 000006
【図６】
0004137230.tif 000007
【図７】
0004137230.tif 000008
【図８】
0004137230.tif 000009
【図９】
0004137230.tif 000010
【図１０】
0004137230.tif 000011
【図１１】
0004137230.tif 000012
【図１２】
0004137230.tif 000013